【事件の表示】
　特願２００１−１２１２０８「移動局及び移動通信システム」拒絶査定不服審判事件〔平成１４年１０月３１日出願公開、特開２００２−３２０２５９〕について、次のとおり審決する。
【結　論】
　本件審判の請求は、成り立たない。
【理　由】
１．手続の経緯
　本願は、平成１３年４月１９日の出願であって、平成２３年２月２５日付けで拒絶査定がなされ、これに対し、平成２３年６月１日に拒絶査定に対する審判請求がなされ、当審において平成２４年１０月１１日付けで拒絶理由通知がなされ、平成２４年１２月１７日付けで手続補正がなされたものである。
　
２．本願発明
　本願の請求項２に係る発明（以下、「本願発明」という。）は、平成２４年１２月１７日付け手続補正書により補正された請求項２に記載された以下のとおりのものである。
　「サーバとして機能する移動局であって、
　公開用としての情報を記憶する第１記憶手段と、内部情報を記憶する第２記憶手段と、を有し、
　他の移動局が、情報を取得するためにアクセスすると、前記アクセスが認証されれば、前記第１記憶手段が記憶する公開用としての情報を前記他の移動局に対してアクセス可能にする手段を有することを特徴とする移動局。」
　　
３．引用例発明
　当審で通知した拒絶理由に引用された特開平１１−２３９２０６号公報（以下、「引用例」という。）には、図面とともに以下の記載がある。
　
　イ．「【０００１】
【発明の属する技術分野】本発明は、無線通信を利用して電話帳データを転送する無線電話装置および無線電話装置の電話帳データ転送方法に関するものである。」
　
ロ．「【００２０】（実施の形態２）図５は本発明の一種である無線電話装置のコードレス電話装置の子機の第２の実施の形態に於ける構成を示すブロック図であり、図５に於いて２１はスピーカー、２２はマイク、２３は音声信号処理手段、２４は多重・分離手段、２５は無線送信手段、２６は無線受信手段、２７はアンテナ、２８は表示手段、２９は制御手段、３０はキー入力手段、３１は記憶手段であり、図１で用いたものと同一であるため説明は省略する。さらに、制御手段２９はデータ送受信手段１０１と識別符号検出手段１０２、キー入力手段３０により入力されたか又はデータ送受信手段１０１により受信された暗証番号と、記憶手段３１内に予め登録された暗証番号を比較するための比較手段１０３を有する。記憶手段３１は電話帳データ１０４と予め所有者により登録された暗証番号領域１０５を有する。
【００２１】上記のように構成された無線電話装置の動作を説明する。図１の説明と同様に、図２に示す２台の子機１００ａ，１００ｂが内線通話状態にある時、一方の子機１００ａから子機１００ｂへ相手子機に登録された電話帳データ１０４の転送を要求する場合、子機１００ａ側でキー入力手段３０の“転送要求”キーを押下する。すると子機１００ａ側の表示手段２８に子機１００ｂの暗証番号を入力する旨のメッセージが表示され、子機１００ａ使用者が子機１００ｂの暗証番号を入力すると、これが子機１００ｂへ送出される。
【００２２】子機１００ｂ側では、子機１００ａから送られてきた暗証番号が制御手段２９内のデータ送受信手段１０１を経て比較手段１０３へ送られる。一方、子機１００ｂにおいて予め登録された暗証番号が記憶手段３１内の暗証番号領域１０５から比較手段１０３へ送出され、この比較手段１０３において２つの暗証番号が比較される。ここで比較結果が一致した場合のみ、子機１００ｂ側の表示手段２８に子機１００ａから電話帳データ１０４の転送要求があることが表示され、子機１００ｂの所有者が電話帳データ１０４の転送を承諾する場合に、子機１００ｂのキー入力手段３０の転送キーを押下する。以下図１で説明したのと同様に、子機１００ｂ内部において制御手段２９が記憶手段３１内の電話帳データ１０４を読み取る。
【００２３】電話帳データ１０４は、図３に示すように宛先名、電話番号、電話帳の公開・非公開を示す識別符号により構成されており、制御手段２９内の識別符号検出手段１０２が各電話帳データ１０４の識別符号を検出し、識別符号が公開であれば、このデータをデータ送受信手段１０１へ転送する。転送された電話帳データ１０４はデータ送受信手段１０１から多重・分離手段２４、無線送信手段２５へ渡され、無線信号としてアンテナ２７から送信される。
【００２４】各電話帳データ１０４の識別符号が非公開となっているデータに関しては、制御手段２９内の識別符号検出手段１０２が非公開を検出するため、データ送受信手段１０１へは転送されず、結局子機１００ａへは送信されない。電話帳データ１０４を受信する子機１００ａにおいては、まずアンテナ２７から受信した無線信号から無線受信手段２６により受信データが再生され、制御手段２９内のデータ送受信手段１０１に転送され、更に記憶手段３１の電話帳データ１０４に格納される。またこの受信された電話帳データ１０４は表示手段２８に表示されてもよい。」
　
　引用例の【００２０】及び図５によれば、無線電話装置の記憶手段は、電話帳データと暗証番号領域とを有するものである。また、図３によれば、電話帳データには公開・非公開を示す識別符号が付けられていることから、無線電話装置の記憶手段は、公開用の電話帳データと非公開の電話帳データとを記憶するものといえる。
　また、無線電話装置の記憶手段は、電話帳データ以外のデータも記憶するものであることは技術常識である。
　引用例の【００２１】によれば、ある無線電話装置に対して、他の無線電話装置が、電話帳データの転送を要求するときには、暗証番号を送出するものであるといえる。
　引用例の【００２２】によれば、送出された暗証番号が、無線電話装置の記憶手段に記憶されている暗証番号と一致すれば、公開用の電話帳データを他の無線電話装置に対して送信するものであるといえる。
　
　したがって、引用例には、技術常識を考慮すると、
　「他の無線電話装置が電話帳データの転送を要求したときに電話帳データを転送する無線電話装置であって、
　公開用の電話帳データと非公開の電話帳データと、電話帳データ以外のデータを記憶する記憶手段を有し、
　他の無線電話装置が、電話帳データの転送を要求するために暗証番号を送出すると、前記暗証番号が前記記憶手段に記憶されている暗証番号と一致すれば、前記記憶手段が記憶する公開用の電話帳データを前記他の無線電話装置に対して送信する手段を有する無線電話装置。」
の発明（以下、「引用例発明」という。）が開示されていると認めることができる。
　
４．対比
　本願発明と引用例発明とを対比する。
　引用例発明の「無線電話装置」は、本願発明の「移動局」に相当する。
　引用例発明の「無線電話装置」は、「他の無線電話装置が電話帳データの転送を要求したときに電話帳データを転送する」ものであるから、「サーバとして機能する」ものであるといえる。
　引用例発明の「公開用の電話帳データ」は、本願発明の「公開用としての情報」に相当するので、引用例発明の「公開用の電話帳データを記憶する記憶手段」と本願発明の「公開用としての情報を記憶する第１の記憶手段」とは、「公開用としての情報を記憶する手段」である点で共通する。
　引用例発明の「非公開の電話帳データ」と「電話帳データ以外のデータ」とは、本願発明の「内部情報」に相当するので、引用例発明の「非公開の電話帳データと、電話帳データ以外のデータを記憶する記憶手段」と本願発明の「内部情報を記憶する第２記憶手段」とは、「内部情報を記憶する手段」である点で共通する。
　引用例発明の「電話帳データの転送を要求するために暗証番号を送出する」ことと、本願発明の「情報を取得するためにアクセスする」こととは、実質的に一致するものである。
　引用例発明の「前記暗証番号が前記記憶手段に記憶されている暗証番号と一致」することと、本願発明の「前記アクセスが認証」されることとは、実質的に一致するものである。
　引用例発明の「公開用の電話帳データを前記他の無線電話装置に対して送信する手段」と、本願発明の「公開用としての情報を前記他の移動局に対してアクセス可能にする手段」とは、実質的に一致するものである。
　　
　したがって、本願発明と引用例発明とは、
「サーバとして機能する移動局であって、
　公開用としての情報を記憶する手段と、内部情報を記憶する手段と、を有し、
　他の移動局が、情報を取得するためにアクセスすると、前記アクセスが認証されれば、公開用としての情報を前記他の移動局に対してアクセス可能にする手段を有する移動局。」
である点で一致し、以下の点で相違している。
　
［相違点］
　記憶する手段について、本願発明は、「公開用としての情報を記憶する第１記憶手段と、内部情報を記憶する第２記憶手段」で構成されているのに対して、引用例発明では、公開用としての情報と内部情報とを、同じ記憶手段に記憶する点。
　
５．当審の判断
　上記相違点について検討する。
　複数の種類のデータを記憶する場合に、複数の記憶手段を設けて種類毎に記憶するようにするか、ひとつの記憶手段に複数の種類のデータを記憶するようにするかは、当業者が適宜選択しうる事項であり、公開用としての情報と、内部情報とを別々の記憶手段に記憶するようにすることに困難性は認められない。
　
　そして、本願発明の作用効果も、引用例発明から当業者が予測できる範囲のものである。
　
６．むすび
　以上のとおり、本願発明は、引用例発明に基づいて、当業者が容易に発明をすることができたものであるから、特許法第２９条第２項の規定により特許を受けることができない。
　よって、結論のとおり審決する。